(57)【要約】母乳の絞り出しのための搾乳器（１）と共に使用される胸カップ（４）であって、胸カップ（４）は、母親の胸に付ける胸カップ漏斗（４０）と、搾乳器（１）に接続される第一連結部（４２）と、ミルク収集容器（４４）に接続される第二連結部（４３）とを備える。胸カップ（４）は胸カップを温める電気抵抗加熱部材（５）を有し、それは導電性プラスチック材料からなる。【選択図】図１
2009520524.tif 000002
【特許請求の範囲】
【請求項１】
母乳の絞り出しのための搾乳器（１）と共に使用される胸カップ（４）であって、前記胸カップ（４）は、母親の乳房に当てる胸カップ漏斗（４０）と、前記搾乳器（１）に接続するための第一連結部（４２）と、ミルク収集容器（４４）に接続するための第二連結部（４３）とを有し、また前記胸カップ（４）は胸カップを温めるための電気抵抗加熱部材（５）を有し、前記電気抵抗加熱部材（５）は導電性プラスチック材料からなることを特徴とする胸カップ（４）。
【請求項２】
前記導電性プラスチック材料はプラスチック基材及び導電性添加剤からなる請求項１記載の胸カップ。
【請求項３】
前記胸カップ（４）は二成分又は多成分射出成形工程で製造される請求項１又は２記載の胸カップ。
【請求項４】
前記添加剤は繊維状である請求項２記載の胸カップ。
【請求項５】
前記繊維の長さが１００〜３００μｍである請求項４記載の胸カップ。
【請求項６】
前記添加剤は以下の群：炭素繊維、銅繊維、鉄繊維からの１以上の物質である請求項２〜５のいずれか一項記載の胸カップ。
【請求項７】
前記添加剤は粉末状である請求項２記載の胸カップ。
【請求項８】
前記添加剤は以下の群：鉄粉、銅粉、すすからの1以上の物質である請求項７項記載の胸カップ。
【請求項９】
前記プラスチック基材は、ポリアミド（ＰＡ）、ポリプロピレン（ＰＰ）又はポリエチレン（ＰＥ）である請求項２〜８のいずれか一項記載の胸カップ。
【請求項１０】
前記添加剤は１０％〜３０％（重量％）の量でプラスチック基材に混合される請求項２〜９のいずれか一項記載の胸カップ。
【請求項１１】
前記胸カップ漏斗（４０）は抵抗加熱部材を有する請求項１〜１０のいずれか一項記載の胸カップ。
【請求項１２】
前記抵抗加熱部材（５）は前記胸カップ漏斗（４０）の素材に埋め込まれる請求項１１記載の胸カップ。
【請求項１３】
前記抵抗加熱部材（５）は前記胸カップ漏斗（４０）の素材上に配置される請求項１１記載の胸カップ。
【請求項１４】
前記胸カップ漏斗（４０）はポリプロピレン（ＰＰ）、ポリアミド（ＰＡ）又はポリエチレン（ＰＥ）からなる請求項１１記載の胸カップ。
【請求項１５】
前記胸カップ（４）は、前記抵抗加熱部材（５）を除いて一体に形成される請求項１〜１４のいずれか一項記載の胸カップ。
【請求項１６】
前記胸カップ漏斗（４０）は硬質領域（４００）及び軟質領域（４０１）を有し、前記抵抗加熱部材（５）は前記軟質領域（４０１）に配置される請求項１〜１４のいずれか一項記載の胸カップ。
【請求項１７】
前記胸カップ漏斗（４０）は電気プラグイン接続部（６）を有する請求項１〜１６のいずれか一項記載の胸カップ。
【請求項１８】
前記第一連結部（４２）は電気プラグイン接続部（２２）を有する請求項１〜１６のいずれか一項記載の胸カップ。
【請求項１９】
前記電気プラグイン接続部（２２）は吸引接続部（２１）の隣りに配置される請求項１８記載の胸カップ。
【請求項２０】
前記電気抵抗加熱部材（５）は前記胸カップ漏斗（４０）にらせん形又は円形に配置される請求項１〜１９のいずれか一項記載の胸カップ。
【請求項２１】
温度センサを有する請求項１〜２０のいずれか一項記載の胸カップ。
【発明の詳細な説明】
【技術分野】
【０００１】
本発明は請求項１の前段部分による胸カップに関する。
【背景技術】
【０００２】
人間の母乳を絞り出すための搾乳器はよく知られている。これらは通常、真空ポンプと、これに接続でき、母親の片方の乳房又は両方の乳房に配置可能な１又は２以上の胸カップと、各胸カップに接続できる絞り出された母乳を収集するミルク収集容器とを有する。
また、搾乳前及び搾乳中に乳房を温めることにより、母親が体感する快適性が増加するだけでなく、乳管を広げ、閉塞を解除する手助けをし、乳輪を柔軟にすることが知られている。
【０００３】
ＵＳ５，８９７，５８０は、発熱反応を起こすことができる化学物質充填材を含むＣ形胸カップ挿入物を開示する。ＷＯ２００５／０７０４７６は、電気抵抗加熱線が胸カップ挿入物自体又は胸カップ漏斗のどちらかに配置される電気的に加熱可能な胸カップ挿入物を開示する。
ＵＳ２００２／０１９８４８９は二重壁胸カップ漏斗を有する胸カップを開示する。胸カップを温めるために、温水などの流体を壁と壁の間の空間に流すことができる。ＵＳ６，３５８，２２６は二重壁胸カップに温かい空気を供給することを提案する。
ＵＳ２００４／００８７８９８は、胸カップの外面又は内面に配置される、又はその素材に埋め込まれる電気抵抗加熱線を備えた胸カップを開示する。
【０００４】
加熱可能な胸カップ挿入物には、母親が母乳の絞り出しを開始する前に、独立した部品を胸カップセットに取り付けなければならないという不便さがある。これは、夜間や母親が時間に追われているときには望ましくない。電気抵抗加熱線を有する胸カップは製造が複雑である。特に、配線をはめ込みこれを射出形成により封入することが難しい。また、もし胸カップが正しく使用されなければ、電気線が胸カップから出てしまう危険がある。電気線が見えることにより、母親は乳房に電流が流れないかと心配になるため、母親に不快感を与えることにもなる。さらに、加熱コイルにより母親は乳首やその周辺の視界が妨げられ、搾乳作業の観察が困難になる。
【発明の開示】
【発明が解決しようとする課題】
【０００５】
従って、本発明の目的は、搾乳前及び搾乳中に使用できる、母親の乳房を温めるための装置を提供することである。
【課題を解決するための手段】
【０００６】
この目的は請求項１の特徴を有する胸カップによって達成される。
母乳の絞り出しのための搾乳器と共に使用される本発明による胸カップは、母親の乳房に当てる胸カップ漏斗と、前記搾乳器に接続するための第一連結部と、ミルク収集容器に接続するための第二連結部とを有し、また前記胸カップは胸カップを温めるための電気抵抗加熱部材を有し、前記電気抵抗加熱部材は導電性プラスチック材料からなることを特徴とする。
好ましい実施形態では、前記導電性プラスチック材料はプラスチック基材であり、導電性添加剤を含む。前記胸カップは二成分又は多成分射出成形工程で製造されることが好ましい。
【０００７】
本発明による胸カップには、加熱しなければならない挿入物が不要であるという利点がある。また、加熱媒体の受け入れ室が不要なので、胸カップ漏斗が比較的小さくできる。二成分又は多成分射出成形工程により、抵抗加熱部材は胸カップの余白部分（ｒｅｓｔ）に取り外し不可能に接続され、このためかなりの圧力がかかっても損傷を受けない。他の利点として、抵抗加熱部材は胸カップの素材の上又は中で作用しやすいことであり、胸カップ上の配置及び構造がより自由であり、選択の範囲を広げることができる。さらに、抵抗加熱部材は一見、電流が流れているとは見えないように構成できる。
さらに有利な実施形態は従属請求項に記載される。
【発明を実施するための最良の形態】
【０００８】
本発明を、添付の図面に記載された好ましい例示の実施形態に基づいて、以下に説明する。
【０００９】
図１は、組み立てられ、使用できる状態の搾乳器セットを示す。搾乳器セットは、筺体内に配置されたモーター駆動の真空ポンプ又は吸引ポンプの形態の搾乳器１と、１つ以上の胸カップ４と、各胸カップに接続可能なミルク収集容器４４と、搾乳器１を対応する胸カップ４に接続するための吸引ライン２とを有する。
【００１０】
図示された搾乳器セットは、多数の可能な実施例のうちの１つの例示の実施形態である。モーター駆動の真空ポンプの代わりに、吸引ラインを介して、又は直接胸カップに接続される手動ポンプを具備することもできる。胸カップの形状も変えることができる。ミルク収集容器として、全ての適切な容器又はバッグが適用できる。
【００１１】
胸カップ４は、乳首を取り囲むが乳首を解放するように乳房上に置かれる胸カップ漏斗４０を有するのが好ましい。胸カップ漏斗４０の次に胸カップネック部４１が続き、第一連結部４２で終わる。第二連結部４３は胸カップネック部４１からこれに対してある角度で分岐する。第一連結部４２は吸引ライン２の接続の役割を果たす。ここに示した実施例では、手動ポンプ又は小さなモーター駆動の真空ポンプ、特にバッテリー駆動の真空ポンプを代わりに取り付け可能であり、例えばねじ式で取り付けられる。ボトル形状のミルク収集容器４４は第二連結部４３にねじ式で取り付けることができる。代わりに、ミルク収集バッグも取り付けられる。ここに示した実施例では、胸カップは一体（ワンピース）に形成され、硬質プラスチック材料、特にポリプロピレン（ＰＰ）で作られることが好ましい。
【００１２】
胸カップ４は電気抵抗加熱部材５を備える。この電気抵抗加熱部材５は、胸カップ漏斗４０の領域に配置されるのが好ましい。しかし、このネック部に配置することもでき、又は、胸カップ漏斗４０の領域に十分な温かさを供給することができれば、胸カップの形状によって他の位置に配置することもできる。抵抗加熱部材５はらせん形に走らせることが好ましく、又、ここに示すように胸カップ漏斗４０上に同心円形に走らせることが好ましい。しかし、抵抗加熱部材の他の構成も可能である。ここに示すように、胸カップ４の外側表面に配置することができる。しかし、同様に内側表面に配置することも可能であり、胸カップ４の材質に埋め込むことも可能である。搾乳器１に通じる電気ライン３が抵抗加熱部材４を作動するために設けられる。電気ライン３は好ましくは吸引ライン２と連結し、ラインの末端部分でのみ分かれる。即ち、電気ライン３は独自の電気接続部、即ち、胸カップ漏斗４０の領域では独自の第一接続部材６を、搾乳器１の筺体上では独自の第二接続部材６０を有する。これらはプラグイン接続が好ましい。ここに示す実施例では、加熱を制御する電気モジュール又は抵抗加熱部材５は、搾乳器１の主たる筺体の外側に取り付けられたモジュール１０である。しかし、もちろん搾乳器の主たる筺体の中に一体化させることもでき、対応する操作ボタン、キー又はパネルは主たる筺体上に配置させることができる。
【００１３】
図２ａ及び２ｂは他の実施形態を示す。ここでは、第一連結部４２内で電気接続部２２が吸引ライン２の接続部２１に隣接して配置されるように、吸引ライン２と電気ライン３に共通のプラグ２０が存在する。対応して、接続ライン５０，５１が胸カップ４上に存在し、電気接続部２２を抵抗加熱部材５に接続する。
【００１４】
図３は、胸カップ漏斗４０のみが図示された他の実施形態を示す。ここでは、前述の実施例のように胸カップ４は一体（ワンピース）に形成されず、２以上の部品で形成される。胸カップ漏斗４０は胸カップネック部内に挿入可能な挿入部材として設計されている。このため、胸カップ漏斗４０自身が短いネック４０３を有する。胸カップ漏斗４０は硬質前部領域４００、即ち母親に最も近く位置する領域と、軟質中間領域４０１と、硬質ネック４０３とを有する。ネック４０３と前部領域４００は硬質ウェブ４０２を介して互いに固定される。この種の胸カップは公知である。これらの利点は中間領域自体が母親の胸に最適な形になることである。硬質領域４００は通常ポリプロピレン（ＰＰ）で作られ、軟質領域４０１は、サーモラストＫ（Ｔｈｅｒｍｏｌａｓｔ  Ｋ）などの熱可塑性エラストマー（ＴＰＥ）で作られる。ここでの新規な特徴は、抵抗加熱部材５が軟質中間領域４０１に配置されることである。もちろん、胸カップネック部４１と連結部４２，４３とを胸カップ漏斗４０の硬質ネック４０３に一体に接続することもできる。
【００１５】
上述の全ての実施例では、乳房を温めるための電気抵抗加熱部材５は導電性プラスチック材料、即ち、それ自体が導電性のプラスチックか、添加剤により導電性にしたプラスチックのどちらかで製造される。
バイトロンＰ（Ｂａｙｔｒｏｎ  Ｐ）はこれ自体が導電性のプラスチックとして好適である。
プラスチックが導電性にされた場合、このプラスチックはプラスチック基材と導電性添加剤を有する。プラスチック基材は好ましくはポリアミド（ＰＡ），ポリプロピレン(ＰＰ）又はポリエチレン（ＰＥ）であるが限定はされない。
添加剤は繊維状であることが好ましい。繊維が使用される場合、長さ１００〜３００μｍの繊維が好ましい。特に好適な繊維は炭素繊維，銅繊維，鉄繊維である。添加剤はこれら繊維の1種又は混合物で構成することができる。
【００１６】
Ａｌｂｉｓ社製のプラスチック（ＡＬＣＯＭ  ＰＡ６６  ９１０／1  ＣＦ１０，ＡＬＣＯＭ  ＰＡ６６  ９１０／１  ＣＦ３０）、Ｇｅｎｅｒａｌ  Ｅｌｅｃｔｒｉｃ  Ｐｌａｓｔｉｃｓ社製プラスチック（ＰＴＣ−Ｂ及びＰＴＣ−Ｂ１）、Ｂｏｒｅａｌｉｓ社製ポリプロピレン、ＢＨ３４５ＭＯ＋型（２０％の炭素繊維を含む）により、良好な結果が得られた。
繊維状添加剤は１０〜３０％（重量パーセント）の量をプラスチック基材に混合することが好ましい。繊維状添加剤の利点は、基材が加熱され、これらが相互に結合を維持し、この結果、導電性を失わないことである。
【００１７】
しかし、添加剤は粉末状でもよい。鉄粉、銅粉、すすが特に好適である。ここでも、粉末は単独で又は混合して使用することができる。粉末の粒径は１００ｎｍ〜1μｍが好ましい。
粉末添加剤は好ましくは８０〜９０％（重量％）の量でプラスチック基材に混合される。
約２５００Ωｍｍ２/ｍの比抵抗を有する材料を使用するのが好ましい。本発明の胸カップは約２０Ωの抵抗を有する。
【００１８】
抵抗加熱部材を有する胸カップは、好ましくは二成分又は多成分射出成形工程で製造される。この種の製造工程は周知であるので、ここで詳しく説明しない。二成分又は多成分射出成形工程では、第一成分を射出成形用金型で硬化した後、キャビティを拡大して第二成分又は複数の成分を第二射出成形ユニットを使用して添加する。拡大は、スライドにより、又は回転具や回転台によるキャビティの交換により達成できる。この場合において、１の成分は胸カップの基材であり、第二の成分は抵抗加熱部材である。他の成分を必要に応じて使用できる。
【００１９】
好ましい実施形態では、胸カップは温度を監視するための少なくとも１つのセンサをさらに備える。一定値又は一定範囲の値に温度を維持するため、加熱し過ぎた場合、このセンサはアラームを始動する、又は加熱部材の制御装置に信号を送ることができる。好適な温度センサは図２ｂの符号８で示される。
【図面の簡単な説明】
【００２０】
【図１】本発明による、第１の実施形態の搾乳器及び胸カップを有する搾乳器セットの斜視図である。
【図２ａ】本発明による、第２の実施形態の胸カップの斜視図である。
【図２ｂ】図２ａによる胸カップの他の斜視図である。
【図３】本発明の第３の実施形態による２部品胸カップ漏斗の斜視図である。
【符号の説明】
【００２１】
１      搾乳器
１０    モジュール
２      吸引ライン
２０    プラグ
２１    吸引ライン接続部
２２    電気接続部
３      電気ライン
４      胸カップ
４０    胸カップ漏斗
４１    胸カップネック部
４２    第一連結部
４３    第二連結部
４４    ミルク収集容器
４００  硬質前部領域
４０１  軟質中間領域
４０２  ウェブ
４０３  硬質ネック
５      第一接続部材
６      第二接続部材
７      プラグ
８      温度センサ
【図１】
2009520524.tif 000003
【図２ａ】
2009520524.tif 000004
【図２ｂ】
2009520524.tif 000005
【図３】
2009520524.tif 000006
【手続補正書】
【提出日】平成19年10月18日(2007.10.18)
【手続補正１】
【補正対象書類名】特許請求の範囲
【補正対象項目名】全文
【補正方法】変更
【補正の内容】
【特許請求の範囲】
【請求項１】
母乳の絞り出しのための搾乳器（１）と共に使用される胸カップ（４）であって、前記胸カップ（４）は、母親の乳房に当てる胸カップ漏斗（４０）と、前記搾乳器（１）に接続するための第一連結部（４２）と、ミルク収集容器（４４）に接続するための第二連結部（４３）とを有し、また前記胸カップ（４）は胸カップを温めるための電気抵抗加熱部材（５）を有し、前記電気抵抗加熱部材（５）は導電性プラスチック材料からなり、前記胸カップ（４）は二成分又は多成分射出成形工程で製造されることを特徴とする胸カップ（４）。
【請求項２】
前記導電性プラスチック材料はプラスチック基材及び導電性添加剤からなる請求項１記載の胸カップ。
【請求項３】
前記添加剤は繊維状である請求項２記載の胸カップ。
【請求項４】
前記繊維の長さが１００〜３００μｍである請求項３記載の胸カップ。
【請求項５】
前記添加剤は以下の群：炭素繊維、銅繊維、鉄繊維からの１以上の物質である請求項２〜４のいずれか一項記載の胸カップ。
【請求項６】
前記添加剤は粉末状である請求項２記載の胸カップ。
【請求項７】
前記添加剤は以下の群：鉄粉、銅粉、すすからの１以上の物質である請求項６項記載の胸カップ。
【請求項８】
前記プラスチック基材は、ポリアミド（ＰＡ）、ポリプロピレン（ＰＰ）又はポリエチレン（ＰＥ）である請求項２〜７のいずれか一項記載の胸カップ。
【請求項９】
前記添加剤は１０％〜３０％（重量％）の量でプラスチック基材に混合される請求項２〜８のいずれか一項記載の胸カップ。
【請求項１０】
前記胸カップ漏斗（４０）は抵抗加熱部材を有する請求項１〜９のいずれか一項記載の胸カップ。
【請求項１１】
前記抵抗加熱部材（５）は前記胸カップ漏斗（４０）の素材に埋め込まれる請求項１０記載の胸カップ。
【請求項１２】
前記抵抗加熱部材（５）は前記胸カップ漏斗（４０）の素材上に配置される請求項１０記載の胸カップ。
【請求項１３】
前記胸カップ漏斗（４０）はポリプロピレン（ＰＰ）、ポリアミド（ＰＡ）又はポリエチレン（ＰＥ）からなる請求項１０記載の胸カップ。
【請求項１４】
前記胸カップ（４）は前記抵抗加熱部材（５）を除いて一体に形成される請求項１〜１３のいずれか一項記載の胸カップ。
【請求項１５】
前記胸カップ漏斗（４０）は硬質領域（４００）及び軟質領域（４０１）を有し、前記抵抗加熱部材（５）は前記軟質領域（４０１）に配置される請求項１〜１３のいずれか一項記載の胸カップ。
【請求項１６】
前記胸カップ漏斗（４０）は電気プラグイン接続部（６）を有する請求項１〜１５のいずれか一項記載の胸カップ。
【請求項１７】
前記第一連結部（４２）は電気プラグイン接続部（２２）を有する請求項１〜１５のいずれか一項記載の胸カップ。
【請求項１８】
前記電気プラグイン接続部（２２）は吸引接続部（２１）の隣りに配置される請求項１７記載の胸カップ。
【請求項１９】
前記電気抵抗加熱部材（５）は前記胸カップ漏斗（４０）にらせん形又は円形に配置される請求項１〜１８のいずれか一項記載の胸カップ。
【請求項２０】
温度センサを有する請求項１〜１９のいずれか一項記載の胸カップ。
【国際調査報告】
2009520524.tif 000007
2009520524.tif 000008
2009520524.tif 000009
2009520524.tif 000010
2009520524.tif 000011
2009520524.tif 000012